(57)【要約】【課題】不定形の原稿についての画像形成を行う際の手間を軽減する画像形成装置を提供する。【解決手段】画像形成に際して、格納手段に格納されている定形原稿サイズに対応付けされた画像形成に関する情報を用いるか否かを判定する判定手段と、取得された原稿サイズに基づいて画像形成に関する設定を行う設定手段と、判定手段で、定形原稿サイズに対応付けされた画像形成に関する情報を用いると判定された場合には、当該情報を用いて画像形成手段による画像形成を行い、定形原稿サイズに対応付けされた画像形成に関する情報を用いないと判定された場合には、設定手段による設定に基づいて画像形成手段による画像形成を行うように制御する制御手段とを備える。【選択図】図３
2012037730.tif 000002
【特許請求の範囲】
【請求項１】
原稿サイズを取得する取得手段と、
原稿の画像情報を読み取る読取手段と、
該読取手段で読み取った画像情報に基づいて画像形成を行う画像形成手段と、
予め設定される定形原稿サイズに対応付けされた前記画像形成に関する情報を格納する格納手段と、
画像形成に際して、前記格納手段に格納されている前記定形原稿サイズに対応付けされた画像形成に関する情報を用いるか否かを判定する判定手段と、
前記取得手段で取得された前記原稿サイズに基づいて前記画像形成に関する設定を行う設定手段と、
前記判定手段で、前記定形原稿サイズに対応付けされた画像形成に関する情報を用いると判定された場合には、当該情報を用いて前記画像形成手段による画像形成を行い、前記定形原稿サイズに対応付けされた画像形成に関する情報を用いないと判定された場合には、前記設定手段による設定に基づいて前記画像形成手段による画像形成を行うように制御する制御手段と、
を備えることを特徴とする画像形成装置。
【請求項２】
前記制御手段は、
前記判定手段で、前記定形原稿サイズに対応付けされた画像形成に関する情報を用いると判定された場合に、前記設定手段による設定内容を前記格納手段に格納されている前記定形原稿サイズに対応付けされた前記画像形成に関する情報に置き換える置換手段を備えることを特徴とする請求項１に記載の画像形成装置。
【請求項３】
前記制御手段は、
前記判定手段で、前記定形原稿サイズに対応付けされた画像形成に関する情報を用いないと判定された場合で、且つ、前記定形原稿サイズ以外の不定形原稿サイズが画像形成に影響を与える設定がされている場合には、前記設定手段による設定に基づいて前記画像形成手段による画像形成を行うように制御し、それ以外の場合には前記置換手段で置き換えられた前記定形原稿サイズに対応付けされた前記画像形成に関する情報に基づいて画像形成を行うように制御することを特徴とする請求項２に記載の画像形成装置。
【請求項４】
前記制御手段は、
前記判定手段で、前記定形原稿サイズに対応付けされた画像形成に関する情報を用いると判定された場合で、且つ、前記定形原稿サイズ以外の不定形原稿サイズが画像形成に影響を与える設定がされている場合には、前記設定手段による設定を優先して前記画像形成手段による画像形成を行うように制御することを特徴とする請求項１または請求項２の何れかに記載の画像形成装置。
【請求項５】
請求項１から請求項４の何れかに記載の少なくとも１の画像形成装置と、
通信手段を介して前記画像形成装置と接続される少なくとも１の情報処理装置と、
から構成されることを特徴とする画像形成システム。
【請求項６】
原稿サイズを取得する取得過程と、
原稿の画像情報を読み取る読取過程と、
読み取った画像情報に基づいて画像形成を行う画像形成過程と、
予め設定される定形原稿サイズに対応付けされた前記画像形成に関する情報を格納する格納過程と、
画像形成に際して、格納されている前記定形原稿サイズに対応付けされた画像形成に関する情報を用いるか否かを判定する判定過程と、
前記取得過程で取得された前記原稿サイズに基づいて前記画像形成に関する設定を行う設定過程と、
前記判定過程で、前記定形原稿サイズに対応付けされた画像形成に関する情報を用いると判定された場合には、当該情報を用いて画像形成を行い、前記定形原稿サイズに対応付けされた画像形成に関する情報を用いないと判定された場合には、前記設定過程による設定に基づいて画像形成を行うように制御する制御過程と、
を演算手段に実行させることを特徴とする処理プログラム。
【発明の詳細な説明】
【技術分野】
【０００１】
本発明は、画像形成装置、画像形成システムおよび処理プログラムに関するものである。
【背景技術】
【０００２】
従来から複写機等の画像形成装置においては、マニュアルモードや、操作者の操作性を向上させるために所定の設定を自動化した自動倍率選択モード、自動用紙サイズ選択モードや所謂オートモード等の設定が可能となっている。
【０００３】
ここで、マニュアルモードとは、原稿の読み取りや媒体への出力を行う際に、その都度、任意に操作者が記録媒体のサイズ、向き、種類等を選択することができるモードである。
【０００４】
また、オードモードとは、読み取られる原稿のサイズや向きに応じて、予め設定された記録媒体のサイズ、向き、種類等が選択されるモードである。
【０００５】
特に、前記オートモードは、各種製造業における出図業務において活用され、定形あるいは非定形の図面の複写作業等の生産性の向上が図られている。
【０００６】
ところで、近年、原稿を読み取った原稿画像データに対してイメージ加工を行った後に、印刷用紙に出力する複写機が求められている。
【０００７】
この種の複写機では不定形サイズの原稿を任意の定形サイズに置き換える場合が多い。  この場合には、不定形サイズの原稿をコピーする場合に、イメージ加工を設定すると定形サイズに対してイメージ加工を行うため、ユーザが要望しない動作をする場合があった。
【０００８】
例えば、不定形原稿サイズが影響する設定として、枠消し処理を行う場合には、定形サイズに置き換えられると枠消しが適切に行われない場合があった。
【０００９】
また、鏡像処理を行う場合には、定形サイズに置き換えられると、鏡像が適切に行われない場合がある。
【００１０】
また、センタリング処理、四隅指定処理を行う場合には、定形サイズに置き換えられると、センタリング、四隅指定が適切に行われない場合がある。
【００１１】
従って、従来において不定形の原稿を扱う際には、ユーザが原稿サイズを入力することが求められていたが、ユーザが原稿サイズを測らなければならず、非常に手間のかかる作業となっていた。
【００１２】
このような不定形の原稿を扱う際の手間を低減する技術は、種々提案されている。
【００１３】
例えば、特開２００２−２４４５００号公報には、不定形サイズの原稿でも正確に原稿サイズを認識できるスキャナを用いて、不定形サイズの原稿を扱う際の自動倍率の設定を簡略化する技術が開示されている。即ち、自動倍率指定時に詳細な原稿サイズと出力サイズから倍率を算出している。
【先行技術文献】
【特許文献】
【００１４】
【特許文献１】特開２００２−２４４５００号公報
【発明の概要】
【発明が解決しようとする課題】
【００１５】
本発明は、不定形の原稿についての画像形成を行う際の手間を軽減することのできる画像形成装置、画像形成システムおよび処理プログラムを提供することを目的とする。
【課題を解決するための手段】
【００１６】
前記課題を解決するため、請求項１の発明に係る画像形成装置は、原稿サイズを取得する取得手段と、原稿の画像情報を読み取る読取手段と、該読取手段で読み取った画像情報に基づいて画像形成を行う画像形成手段と、予め設定される定形原稿サイズに対応付けされた前記画像形成に関する情報を格納する格納手段と、画像形成に際して、前記格納手段に格納されている前記定形原稿サイズに対応付けされた画像形成に関する情報を用いるか否かを判定する判定手段と、前記取得手段で取得された前記原稿サイズに基づいて前記画像形成に関する設定を行う設定手段と、前記判定手段で、前記定形原稿サイズに対応付けされた画像形成に関する情報を用いると判定された場合には、当該情報を用いて前記画像形成手段による画像形成を行い、前記定形原稿サイズに対応付けされた画像形成に関する情報を用いないと判定された場合には、前記設定手段による設定に基づいて前記画像形成手段による画像形成を行うように制御する制御手段とを備える。
【００１７】
請求項２の発明に係る画像形成装置は、請求項１に記載の発明について、前記制御手段は、前記判定手段で、前記定形原稿サイズに対応付けされた画像形成に関する情報を用いると判定された場合に、前記設定手段による設定内容を前記格納手段に格納されている前記定形原稿サイズに対応付けされた前記画像形成に関する情報に置き換える置換手段を備えることを特徴とする。
【００１８】
請求項３の発明に係る画像形成装置は、請求項２に記載の発明について、前記制御手段は、前記判定手段で、前記定形原稿サイズに対応付けされた画像形成に関する情報を用いないと判定された場合で、且つ、前記定形原稿サイズ以外の不定形原稿サイズが画像形成に影響を与える設定がされている場合には、前記設定手段による設定に基づいて前記画像形成手段による画像形成を行うように制御し、それ以外の場合には前記置換手段で置き換えられた前記定形原稿サイズに対応付けされた前記画像形成に関する情報に基づいて画像形成を行うように制御することを特徴とする。
【００１９】
請求項４の発明に係る画像形成装置は、請求項１または請求項２の何れかに記載の発明について、前記制御手段は、前記判定手段で、前記定形原稿サイズに対応付けされた画像形成に関する情報を用いると判定された場合で、且つ、前記定形原稿サイズ以外の不定形原稿サイズが画像形成に影響を与える設定がされている場合には、前記設定手段による設定を優先して前記画像形成手段による画像形成を行うように制御することを特徴とする。
【００２０】
請求項５の発明に係る画像形成システムは、請求項１から請求項４の何れかに記載の少なくとも１の画像形成装置と、通信手段を介して前記画像形成装置と接続される少なくとも１の情報処理装置とから構成されることを特徴とする。
【００２１】
請求項６の発明に係る処理プログラムは、原稿サイズを取得する取得過程と、原稿の画像情報を読み取る読取過程と、読み取った画像情報に基づいて画像形成を行う画像形成過程と、予め設定される定形原稿サイズに対応付けされた前記画像形成に関する情報を格納する格納過程と、画像形成に際して、格納されている前記定形原稿サイズに対応付けされた画像形成に関する情報を用いるか否かを判定する判定過程と、前記取得過程で取得された前記原稿サイズに基づいて前記画像形成に関する設定を行う設定過程と、前記判定過程で、前記定形原稿サイズに対応付けされた画像形成に関する情報を用いると判定された場合には、当該情報を用いて画像形成を行い、前記定形原稿サイズに対応付けされた画像形成に関する情報を用いないと判定された場合には、前記設定過程による設定に基づいて画像形成を行うように制御する制御過程とを演算手段に実行させることを特徴とする。
【発明の効果】
【００２２】
本発明によれば以下の効果を奏することができる。
【００２３】
すなわち、請求項１に記載の発明によれば、本構成を有していない場合に比較して、不定形の原稿についての画像形成を行う際の操作者の手間を軽減可能な画像形成装置を提供することができる。
【００２４】
請求項２に記載の発明によれば、本構成を有していない場合に比較して、設定内容を格納手段に格納されている定形原稿サイズに対応付けされた画像形成に関する情報に適宜置き換えて操作者の手間を軽減可能な画像形成装置を提供することができる。
【００２５】
請求項３に記載の発明によれば、本構成を有していない場合に比較して、操作者の手間を一層軽減可能な画像形成装置を提供することができる。
【００２６】
請求項４に記載の発明によれば、本構成を有していない場合に比較して、所定の条件で設定手段による設定を優先して画像形成手段による画像形成を行い操作者の手間を軽減可能な画像形成装置を提供することができる。
【００２７】
請求項５に記載の発明によれば、本構成を有していない場合に比較して、不定形の原稿についての画像形成を行う際の操作者の手間を軽減可能な画像形成システムを提供することができる。
【００２８】
請求項６に記載の発明によれば、本構成を有していない場合に比較して、不定形の原稿についての画像形成を行う際の操作者の手間を軽減可能な処理プログラムを提供することができる。
【図面の簡単な説明】
【００２９】
【図１】実施の形態に係る画像形成装置Ｍ１の概略構成を示す構成図である。
【図２】実施の形態に係る画像形成装置Ｍ１が有する原稿読取部の断面図である。
【図３】実施の形態に係る画像形成装置Ｍ１の機能構成を示す機能ブロック図である。
【図４】ユーザインターフェイスにおけるモードの表示例を示す説明図である。
【図５】オートモード処理の処理手順を示すフローチャートである。
【図６】複写処理の処理手順を示すフローチャートである。
【図７】他の複写処理の処理手順を示すフローチャートである。
【図８】他の複写処理の処理手順を示すフローチャートである。
【図９】定形原稿サイズ依存設定判定処理の処理手順を示すフローチャートである。
【図１０】不定形原稿サイズ影響設定判定処理の処理手順を示すフローチャートである。
【図１１】他の複写処理の処理手順を示すフローチャートである。
【図１２】他の複写処理の処理手順を示すフローチャートである。
【発明を実施するための形態】
【００３０】
以下、本発明の一例としての実施の形態を図面に基づいて詳細に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３１】
図１から図１２を参照して、本発明についての実施の形態に係る画像形成装置ＰＲ１について説明する。
【００３２】
図１に示す本発明の実施形態に係る所謂ワイドフォーマット複写機としての画像形成装置Ｍ１は、画像形成部２０と、制御ユニット２６と、媒体供給装置１００と、表示操作ユニット２００と、原稿読取ユニット４００とを有する。
【００３３】
なお、本実施の形態に係るようなワイドフォーマット複写機を用いるユーザは大きく製造業とコピー業者に分けられる。
【００３４】
そして、製造業のユーザは、原稿サイズに依存した設定を行い、設定変更無しで大きさが異なる原稿を連続コピーするユーザである。この場合には、多少原稿が定形サイズから外れていても、任意の定形サイズに補正して、定形サイズに依存した設定でコピーしたいとの要求がある。
【００３５】
一方、コピー業者においては、不定形サイズの原稿を扱い、イメージ加工を施すことが多い。この場合には、不定形サイズの原稿は、任意の定形サイズに補正すること無しに、正確な原稿サイズに対してイメージ加工を施してコピーしたいとの要求がある。
【００３６】
本実施の形態に係る画像形成装置Ｍ１は上記のような要求を満たすように構成されている。
【００３７】
ここで、表示操作ユニット２００は、表示操作ユニット本体２０２を有し、各種表示を行うと共に各種操作を行うユーザインターフェイスとして用いられ液晶式タッチパネル２０４等が搭載されている。
【００３８】
なお、タッチパネルとは、指や専用のペンで画面に触れることで入力操作が可能な装置であり、指等が触れた位置を検知して画面上の位置を指定し、操作対象に指示を与えることができるポインティングデバイスの一種である。
【００３９】
タッチパネル２０４からは、例えば、原稿読取ユニット４００で原稿を読み取る際のカラーモード、出力ファイル形式、読み取り解像度、読み取り倍率等を入力して設定するようになっている。
【００４０】
媒体供給装置１００は、画像が形成される例えば普通紙等の記録媒体を画像形成部２０に供給する装置である。
【００４１】
本実施の形態では、例えば、１台のロール媒体供給装置１１０と、２台のカット媒体供給装置１４０とを有し、ロール媒体供給装置１１０の下方に、２つのカット媒体供給装置１４０が位置するように重ねられて配置されている。
【００４２】
ここで、ロール媒体とは、例えばロール紙等のロール状に巻かれた画像形成がなされる記録媒体をいう。
【００４３】
また、カット媒体とは、例えばＡ４サイズ、Ｂ５サイズ等のサイズに１枚ずつ切断された記録用紙等の記録媒体をいう。
【００４４】
ロール媒体供給装置１１０は、ロール媒体供給装置本体１１２を有し、ロール媒体供給装置本体１１２内に、ロール媒体１１４が回転することができ、先端部を引き出すように装着されている。
【００４５】
また、ロール媒体供給装置本体１１２内には、ロール媒体が搬送される通路であるロール媒体搬送路１１６が形成されていて、ロール媒体搬送路１１６に沿って、ロール媒体の搬送方向上流側から順に、引き出しロール１１８と、搬送ロール１２０と、切断装置１２２とが装着されている。
【００４６】
引き出しロール１１８は、巻かれた状態にあるロール媒体の先端部を引き出し、該先端部をロール媒体搬送方向下流側に向けて引き出すために用いられている。
【００４７】
搬送ロール１２０は、引き出しロール１１８によって引き出された用紙を、さらに下流側、すなわち画像形成部２０側に搬送するために用いられる。
【００４８】
切断装置１２２は、必要な長さ分が画像形成部２０に供給されたロール媒体１１４の後端側を切断するために用いられる。
【００４９】
また、ロール媒体供給装置本体１１２内には、２台のカット媒体供給装置１４０、１４０からそれぞれ供給されるカット媒体が、画像形成部２０側に搬送される際に通過する通過搬送路１２４が形成され、通過搬送路１２４に沿って搬送ロール１２８が装着されている。
【００５０】
搬送ロール１２８は、２つのカット媒体供給装置１４０、１４０から供給されたカット媒体を、画像形成部２０側に搬送するために用いられる。
【００５１】
カット媒体供給装置１４０、１４０は、それぞれがカット媒体供給装置本体１４２を有し、カット媒体供給装置本体１４２内に、カット媒体を積層するように収納するカット媒体収納部１４４が、例えばカット媒体供給装置本体１４２に対して着脱するように装着されている。
【００５２】
また、カット媒体供給装置本体１４２内には、カット媒体収納部１４４の最上位に位置するカット媒体を、カット媒体搬送方向における下流側に送り出す送り出しロール１４６と、送り出しロール１４６によって引き出されたカット媒体をさらに上流側に向けて搬送する搬送ロール１４８と、カット媒体を捌いてカット媒体の重送を防止する捌きロール１５２とが装着されている。
【００５３】
また、搬送ロール１４８、及び捌きロール１５０の下流側に搬送ロール１５２が装着されている。
【００５４】
画像形成部２０は、原稿読取ユニット４００で取得された原稿画像に基づく画像形成を行う。
【００５５】
画像形成部２０は、例えば電子写真方式のものが用いられ、画像形成部本体２２を有し、画像形成部本体２２内には、媒体供給装置１００から供給された媒体が通過する媒体搬送路５０が形成されている。
【００５６】
また、画像形成部本体２２内には、例えば感光体ドラムが用いられる像保持体３０と、像保持体３０を一様に帯電する帯電装置３２と、帯電装置３２により一様に帯電された像保持体３０に潜像を形成する潜像形成装置３４と、潜像形成装置３４により形成された像保持体３０上の潜像をトナーで可視化する現像装置３６と、現像装置３６により形成されたトナー像を媒体に転写する転写装置４０と、像保持体３０に残ったトナーをクリーニングするクリーニング装置４２とが装着されている。
【００５７】
また、画像形成部本体２２内には、媒体搬送路５０に沿って、媒体搬送方向上流側から順に、搬送ロール５２と、レジストロール５４と、定着装置５６と、搬送ロール５８と、排出ロール６０とが装着されている。
【００５８】
搬送ロール５２は、記録媒体をレジストロール５４に向けて搬送する。
【００５９】
レジストロール５４は、停止した状態から所定のタイミングで回転を開始することで、像保持体３０にトナー像が形成されるタイミングと合致するように、記録媒体を像保持体３０と転写装置４０との接触部に送り出す。
【００６０】
定着装置５６は、転写装置４０によって媒体に転写されたトナー像を、圧力と熱とで記録媒体に定着する。排出ロール６０は、トナー像が定着された媒体を、画像形成部本体２２外に排出するために用いられる。
【００６１】
制御ユニット２６は、例えば画像形成部本体２２内に装着されている。制御ユニット２６は、例えばマイクロコンピュータ等で構成され、画像形成装置Ｍ１の全般的な動作、処理を制御する。
【００６２】
図２には、原稿読取ユニット４００が示されている。
【００６３】
原稿読取ユニット４００は、単色又はカラーの画像を読み取る原稿読取ユニット本体４０２を有し、原稿読取ユニット本体４０２内に、原稿が通過する原稿搬送路４０４が形成されている。
【００６４】
また、原稿読取ユニット本体４０２内には、原稿の搬送に用いられる原稿搬送部４０８が装着されている。
【００６５】
原稿搬送部４０８は、原稿の搬送方向における上流側に設けられた搬送ロール４１０と、同方向における下流側に設けられた搬送ロール４１２とを有する。
【００６６】
また、原稿読取ユニット本体４０２内には、原稿を読み取り、原稿の画像を取得する原稿画像読取部４２４（読取手段の一例）が装着されている。
【００６７】
原稿画像読取部４２４は、光透過性部材４１４と、光照射装置４１６と、光電変換部材４１８とを有する。
【００６８】
光透過性部材４１４は、例えばガラスや樹脂等の光を透過する材料が用いられ、原稿搬送路４０４の下側に配置されている。
【００６９】
光照射装置４１６は、例えばキセノンランプが用いられ、光透過性部材４１４を通過するようにして、原稿搬送路４０４を搬送中の原稿に光を照射する。
【００７０】
光電変換部材４１８は、光照射装置４１６から照射され、原稿の下向きの面で反射され、図示を省略する光学系によって集められた光が入射する位置に配置されていて、入射した光を電気信号に変換する。なお、光電変換部材４１８には、例えばＣＣＤアレイが用いられる。
【００７１】
原稿読取ユニット本体４０２の外側には、搬送ロール４１２によって原稿搬送部本体の外に排出された部分を装置前側に案内する案内部材４２０が装着されている。また、原稿読取ユニット本体４０２内には、マイクロコンピュータ等で構成され、主として原稿読取ユニット４００の制御に用いられる制御ユニット５００が装着されている。
【００７２】
次に、図３の機能ブロック図を参照して、本実施の形態に係る画像形成装置Ｍ１の機能構成について説明する。
【００７３】
画像形成装置Ｍ１は、原稿サイズを取得するセンサ等で構成される原稿サイズ取得部６０１（取得手段の一例）と、原稿の画像情報を読み取る原稿読取ユニット４００で構成される原稿読取部６０２（読取手段の一例）と、原稿読取部６０２で読み取った画像情報に基づいて画像形成を行う画像形成部本体２２（画像形成手段の一例）と、予め設定される定形原稿サイズに対応付けされた画像形成に関する情報を格納する不揮発性メモリ等で構成されるサイズ依存情報格納部６０３（格納手段の一例）と、複写等の画像形成に際して、サイズ依存情報格納部６０３に格納されている定形原稿サイズに対応付け（依存）された画像形成に関する情報を用いるか否かを判定する判定部６０４（判定手段の一例）と、原稿サイズ取得部６０１で取得された原稿サイズに基づいて画像形成に関する設定を行う詳細設定部６０５（設定手段の一例）と、判定部６０４で、定形原稿サイズに対応付けされた画像形成に関する情報を用いると判定された場合には、当該情報を用いて画像形成部本体２２による画像形成を行い、定形原稿サイズに対応付けされた画像形成に関する情報を用いないと判定された場合には詳細設定部６０５による設定に基づいて画像形成部本体２２による画像形成を行うように制御するマイクロコンピュータ等で構成される画像形成制御部６０６（制御手段の一例）とを備える。
【００７４】
また、画像形成制御部６０６は、判定部６０４で、定形原稿サイズに対応付けされた画像形成に関する情報を用いると判定された場合に、詳細設定部６０５による設定内容をサイズ依存情報格納部６０３に格納されている定形原稿サイズに対応付けされた画像形成に関する情報に置き換える定形サイズ置換部６０７（置換手段の一例）を備える。
【００７５】
なお、定形サイズ置換部６０７とは、不定形サイズを定形サイズに置き換える処理を行う。
【００７６】
また、画像形成装置Ｍ１は、不定形原稿サイズが影響する設定を行う設定部として、原稿の縁部の画像を消去する所謂枠消し設定部６０９、鏡像コピーを行う鏡像設定部６１０、印刷位置のセンタリングを行うセンタリング設定部６１１、四隅指定を行う四隅指定部６１２、反転コピーを行う反転設定部６１３を備えるイメージ加工部を備えるイメージ加工部等を備える。
【００７７】
なお、画像形成制御部６０６は、判定部６０４で、定形原稿サイズに対応付けされた画像形成に関する情報を用いないと判定された場合で、且つ、定形原稿サイズ以外の不定形原稿サイズが画像形成に影響を与える設定がされている場合には、詳細設定部６０５による設定に基づいて画像形成部本体２２による画像形成を行うように制御し、それ以外の場合には定形サイズ置換部６０７で置き換えられた定形原稿サイズに対応付けされた画像形成に関する情報に基づいて画像形成を行うように制御するようにしてもよい。
【００７８】
また、画像形成制御部６０６は、判定部６０４で、定形原稿サイズに対応付けされた画像形成に関する情報を用いると判定された場合で、且つ、定形原稿サイズ以外の不定形原稿サイズが画像形成に影響を与える設定がされている場合には、詳細設定部６０５による設定を優先して画像形成部本体２２による画像形成を行うように制御してもよい。
【００７９】
ここで、画像形成装置Ｍ１で実行される各種モードについて簡単に説明する。
【００８０】
まず、自動用紙選択モードは、読み込んだ原稿を等倍で出力できる用紙を自動的に選択する機能を提供する。
【００８１】
また、自動倍率選択モードは、読み込んだ原稿を指定した用紙サイズに収まるよう自動的に縮倍率を選択する機能を提供する。
【００８２】
さらに、オートモードは、原稿サイズ（定形）に対する出力サイズ（定形）の関係（パターン）を予め登録しておき、読み込んだ原稿サイズから出力サイズと縮倍率を決定する機能を提供する。
【００８３】
図４の説明図および図５のフローチャートを参照して、オートモード処理について説明する。
【００８４】
まず、製造業等で用いられるワイドフォーマット複写機としての画像形成装置Ｍ１を用いるユーザは、図４に示すように、ＪＩＳ  Ｂ１たて、ＪＩＳ  Ｂ２たて、ＪＩＳ  Ｂ３たて、ＪＩＳ  Ｂ４たて、ＪＩＳ  Ｂ５たてのような定形サイズの原稿を扱うことが多い。そのため、原稿サイズの単位で設定を変更したいという要求が存在する。
【００８５】
そして、オートモードでは、原稿サイズに応じて、用紙サイズおよび用紙種類が決められるようになっている。
【００８６】
オートモード処理を行う場合には、ステップＳ１００でオートモードであるか否かが判定され、「Ｙｅｓ」の場合にはステップＳ１０１に移行し、「Ｎｏ」の場合にはステップＳ１０４に移行する。
【００８７】
ステップＳ１０１では、定形原稿サイズの取得を行ってステップＳ１０２に移行する。
【００８８】
ステップＳ１０２では、原稿サイズより用紙サイズを取得してステップＳ１０３に移行する。
【００８９】
ステップＳ１０３では、原稿サイズより用紙種類を取得して処理を終了する。
【００９０】
ここで、ステップＳ１０２およびステップＳ１０３の設定は、図４に示す設定画面で設定された内容を参照して取得される。
【００９１】
一方、ステップＳ１０４では、詳細原稿サイズの取得を行い、ステップＳ１０５では詳細原稿サイズから定形サイズを求め、出力サイズを設定して処理を終了する。
【００９２】
次に、図６から図１２を参照して画像形成装置Ｍ１で実行される複写処理の処理手順について説明する。
【００９３】
まず、図６に示す複写処理では、定形原稿サイズに依存した設定の有無を判定し、定形原稿サイズに依存した設定が用いられていると判定した場合には、詳細な原稿サイズを定形サイズに置き換える処理を行い、それ以外の場合には、詳細な原稿サイズを用いて処理を行っている。
【００９４】
即ち、ステップＳ１０では原稿サイズ取得部６０１より詳細原稿サイズを取得し、ステップＳ１１に移行する。
【００９５】
ステップＳ１１では、定形原稿サイズ依存設定判定処理のサブルーチンを実行する。
【００９６】
ここで、定形原稿サイズ依存設定判定処理は、図９のフローチャートに示すように、ステップＳ４０でオートモードであるか否かが判定され、「Ｙｅｓ」の場合には「依存する」と判定される。
【００９７】
また、ステップＳ４０で「Ｎｏ」の場合にはステップＳ４１に移行して、自動スタンプ位置指定であるか否かが判定され、「Ｙｅｓ」の場合には「依存する」と判定され、「Ｎｏ」の場合には「依存しない」と判定される。
【００９８】
図６の処理に戻って、ステップＳ１１で「依存する」と判定された場合にはステップＳ１２に移行する。
【００９９】
ステップＳ１２では、定形原稿サイズに置き換える処理を行ってからステップＳ１３に移行する。
【０１００】
ステップＳ１３では、原稿サイズに依存した設定の取得を行ってステップＳ１４に移行する。
【０１０１】
一方、ステップＳ１１で、「依存しない」と判定された場合には、ステップＳ１４に移行して、原稿サイズのイメージを取得してステップＳ１５に移行する。
【０１０２】
ステップＳ１５では、イメージ加工（枠消しや反転等）はあるか否かが判定され、「有り」と判定された場合はステップＳ１６に移行してイメージ加工を行ってステップＳ１７に移行する。
【０１０３】
また、ステップＳ１５で、イメージ加工は無いと判定された場合にはステップＳ７に移行して、イメージの出力（印刷）を行って処理を終了する。
【０１０４】
次に、図７を参照して画像形成装置Ｍ１で実行される他の複写処理の処理手順について説明する。
【０１０５】
図７に示す複写処理では、定形サイズに依存した設定が用いられておらず、かつ、不定形原稿サイズが影響する設定がされている場合にのみ、詳細な原稿サイズを用いて処理を行い、それ以外の場合は、詳細な原稿サイズを定形サイズに置き換える処理および定形原稿サイズに依存した設定が用いられており、かつ、不定形原稿サイズが影響する設定が用いられている場合には、原稿サイズに依存する設定を優先する処理を行っている。
【０１０６】
即ち、ステップＳ２０では原稿サイズ取得部６０１より詳細原稿サイズを取得し、ステップＳ２１に移行する。
【０１０７】
ステップＳ２１では、定形原稿サイズ依存設定判定処理のサブルーチンを実行する。
【０１０８】
ここで、定形原稿サイズ依存設定判定処理は、前出の図９のフローチャートに示すように、ステップＳ４０でオートモードであるか否かが判定され、「Ｙｅｓ」の場合には「依存する」と判定される。
【０１０９】
また、ステップＳ４０で「Ｎｏ」の場合にはステップＳ４１に移行して、自動スタンプ位置指定であるか否かが判定され、「Ｙｅｓ」の場合には「依存する」と判定され、「Ｎｏ」の場合には「依存しない」と判定される。
【０１１０】
図７の処理に戻って、ステップＳ２１で「依存する」と判定された場合にはステップＳ２５に移行する。
【０１１１】
ステップＳ２５では、定形原稿サイズに置き換える処理を行ってからステップＳ２６に移行する。
【０１１２】
ステップＳ２６では、原稿サイズに依存した設定の取得を行ってステップＳ２３に移行する。
【０１１３】
一方、ステップＳ２１で、「依存しない」と判定された場合には、ステップＳ２２に移行する。
【０１１４】
ステップＳ２２では、不定形原稿サイズ影響設定判定処理のサブルーチンを実行する。
【０１１５】
ここで、不定形原稿サイズ影響設定判定処理は、図１０のフローチャートに示すように、ステップＳ５０で枠消し処理であるか否かが判定され、「Ｙｅｓ」の場合には「影響する」と判定される。
【０１１６】
また、ステップＳ５０で「Ｎｏ」の場合にはステップＳ５１に移行して、鏡像処理であるか否かが判定され、「Ｙｅｓ」の場合には「影響する」と判定され、「Ｎｏ」の場合にはステップＳ５２に移行する。
【０１１７】
ステップＳ５２では、反転処理であるか否かが判定され、「Ｙｅｓ」の場合には「影響する」と判定される。
【０１１８】
また、ステップＳ５２で「Ｎｏ」の場合にはステップＳ５３に移行して、四隅、センター指定処理であるか否かが判定され、「Ｙｅｓ」の場合には「影響する」と判定され、「Ｎｏ」の場合には「影響しない」と判定される。
【０１１９】
図７の処理に戻って、ステップＳ２２で「影響しない」と判定された場合にはステップＳ２５に移行する。
【０１２０】
ステップＳ２５では、定形原稿サイズに置き換える処理を行ってからステップＳ２６に移行する。
【０１２１】
ステップＳ２６では、原稿サイズに依存した設定の取得を行ってステップＳ２３に移行する。
【０１２２】
一方、ステップＳ２２で、「影響する」と判定された場合には、ステップＳ２３に移行して、イメージ加工はあるか否かが判定される。
【０１２３】
そして、「有り」と判定された場合にはステップＳ２７に移行して、イメージ加工を行ってステップＳ２４に移行する。
【０１２４】
また、ステップＳ２３で「無し」と判定された場合にはステップＳ２４に移行する。
【０１２５】
ステップＳ２４では、イメージの印刷出力を行って処理を終了する。
【０１２６】
次に、図８を参照して画像形成装置Ｍ１で実行される他の複写処理の処理手順について説明する。
【０１２７】
図８に示す複写処理では、原稿のサイズが、定形サイズに依存した設定が用いられており、かつ、不定形原稿サイズが影響する設定が用いられている場合には、原稿サイズに依存する設定を、詳細な原稿サイズを定形サイズに任意に置き換えたサイズで取得し、不定形原稿サイズが影響する設定には、詳細の原稿サイズを用いる処理を行っている。
【０１２８】
即ち、ステップＳ３０では原稿サイズ取得部６０１より詳細原稿サイズを取得し、ステップＳ３１に移行する。
【０１２９】
ステップＳ３１では、定形原稿サイズ依存設定判定処理のサブルーチンを実行する。
【０１３０】
ここで、定形原稿サイズ依存設定判定処理は、前出の図９のフローチャートに示すように、ステップＳ４０でオートモードであるか否かが判定され、「Ｙｅｓ」の場合には「依存する」と判定される。
【０１３１】
また、ステップＳ４０で「Ｎｏ」の場合にはステップＳ４１に移行して、自動スタンプ位置指定であるか否かが判定され、「Ｙｅｓ」の場合には「依存する」と判定され、「Ｎｏ」の場合には「依存しない」と判定される。
【０１３２】
図８の処理に戻って、ステップＳ３１で「依存する」と判定された場合にはステップＳ３５に移行する。
【０１３３】
ステップＳ３５では、不定形原稿サイズ影響設定判定処理のサブルーチンを実行する。
【０１３４】
ここで、不定形原稿サイズ影響設定判定処理は、前出の図１０のフローチャートに示すように、ステップＳ５０で枠消し処理であるか否かが判定され、「Ｙｅｓ」の場合には「影響する」と判定される。
【０１３５】
また、ステップＳ５０で「Ｎｏ」の場合にはステップＳ５１に移行して、鏡像処理であるか否かが判定され、「Ｙｅｓ」の場合には「影響する」と判定され、「Ｎｏ」の場合にはステップＳ５２に移行する。
【０１３６】
ステップＳ５２では、反転処理であるか否かが判定され、「Ｙｅｓ」の場合には「影響する」と判定される。
【０１３７】
また、ステップＳ５２で「Ｎｏ」の場合にはステップＳ５３に移行して、四隅、センター指定処理であるか否かが判定され、「Ｙｅｓ」の場合には「影響する」と判定され、「Ｎｏ」の場合には「影響しない」と判定される。
【０１３８】
図８の処理に戻って、ステップＳ３５で「影響しない」と判定された場合にはステップＳ３２に移行し、「影響する」と判定された場合にはステップＳ３６に移行する。
【０１３９】
ステップＳ３６では、詳細原稿サイズから定形サイズを取得してステップＳ３７に移行する。
【０１４０】
ステップＳ３７では、取得した定形サイズを原稿サイズとみなし、定形原稿サイズに依存した設定を取得してステップＳ３２に移行する。
【０１４１】
一方、ステップＳ３１で「依存しない」と判定された場合にはステップＳ３２に移行する。
【０１４２】
ステップＳ３２では、詳細原稿サイズイメージを取得してステップＳ３３に移行する。
【０１４３】
ステップＳ３３では、イメージ加工があるか否かが判定され、有りの場合にはステップＳ３８でイメージの加工を行ってステップＳ３４に移行する。
【０１４４】
また、ステップＳ３３で無しの場合にはステップＳ３４に移行する。
【０１４５】
ステップＳ３４では、イメージを印刷出力を行って処理を終了する。
【０１４６】
次に、図１１を参照して画像形成装置Ｍ１で実行される他の複写処理の処理手順について説明する。
【０１４７】
図１１に示す複写処理では、不定形原稿サイズが影響する設定には、詳細の原稿サイズを用いる場合で、出力用紙サイズが設定されていない場合は、不定形原稿サイズを定形サイズに置き換えたサイズを出力サイズとして印刷出力する処理を行っている。
【０１４８】
即ち、ステップＳ６０では原稿サイズ取得部６０１より詳細原稿サイズを取得し、ステップＳ６１に移行する。
【０１４９】
ステップＳ６１では、定形原稿サイズ依存設定判定処理のサブルーチンを実行する。
【０１５０】
ここで、定形原稿サイズ依存設定判定処理は、前出の図９のフローチャートに示すように、ステップＳ４０でオートモードであるか否かが判定され、「Ｙｅｓ」の場合には「依存する」と判定される。
【０１５１】
また、ステップＳ４０で「Ｎｏ」の場合にはステップＳ４１に移行して、自動スタンプ位置指定であるか否かが判定され、「Ｙｅｓ」の場合には「依存する」と判定され、「Ｎｏ」の場合には「依存しない」と判定される。
【０１５２】
図１１の処理に戻って、ステップＳ６１で「依存する」と判定された場合にはステップＳ６６に移行する。
【０１５３】
ステップＳ６６では、定形原稿サイズに置き換える処理を行ってからステップＳ６７に移行する。
【０１５４】
ステップＳ６７では、原稿サイズに依存した設定の取得を行ってステップＳ６２に移行する。
【０１５５】
一方、ステップＳ６１で、「依存しない」と判定された場合には、ステップＳ６２に移行して、原稿サイズのイメージを取得してステップＳ６３に移行する。
【０１５６】
ステップＳ６３では、出力サイズが設定されているか否かが判定され、無い場合にはステップＳ６８に移行して、詳細原稿サイズから定形サイズを求め、出力サイズを設定してステップＳ６４に移行する。
【０１５７】
ステップＳ６４では、イメージ加工があるか否かが判定され、有りの場合にはステップＳ６９でイメージの加工を行ってステップＳ６５に移行する。
【０１５８】
また、ステップＳ６４で無しの場合にはステップＳ６５に移行する。
【０１５９】
ステップＳ６５では、イメージを印刷出力を行って処理を終了する。
【０１６０】
次に、図１２を参照して画像形成装置Ｍ１で実行される他の複写処理の処理手順について説明する。
【０１６１】
この例では、詳細サイズを定形サイズに置き換える処理を行うのではなく、定形サイズを取得する手段を使用する。即ち、図３に示す構成に加えて定形サイズ取得手段を備える。
【０１６２】
図１２に示す複写処理では、ステップＳ７０で定形原稿サイズ依存設定判定処理のサブルーチンを実行する。
【０１６３】
ここで、定形原稿サイズ依存設定判定処理は、前出の図９のフローチャートに示すように、ステップＳ４０でオートモードであるか否かが判定され、「Ｙｅｓ」の場合には「依存する」と判定される。
【０１６４】
また、ステップＳ４０で「Ｎｏ」の場合にはステップＳ４１に移行して、自動スタンプ位置指定であるか否かが判定され、「Ｙｅｓ」の場合には「依存する」と判定され、「Ｎｏ」の場合には「依存しない」と判定される。
【０１６５】
図１２の処理に戻って、ステップＳ７０で「依存する」と判定された場合にはステップＳ７５に移行する。
【０１６６】
ステップＳ７５では、定形原稿サイズを取得してステップＳ７２に移行する。
【０１６７】
一方、ステップＳ７０で「依存しない」と判定された場合にはステップＳ７１に移行する。
【０１６８】
ステップＳ７１では、詳細な原稿サイズを取得してステップＳ７２に移行する。
【０１６９】
ステップＳ７２では、原稿サイズイメージを取得してステップＳ７３に移行する。
【０１７０】
ステップＳ７３では、イメージ加工があるか否かが判定され、有りの場合にはステップＳ７６でイメージの加工を行ってステップＳ７４に移行する。
【０１７１】
また、ステップＳ７３で無しの場合にはステップＳ７４に移行する。
【０１７２】
ステップＳ７４では、イメージを印刷出力を行って処理を終了する。
【０１７３】
以上述べたように、本実施の形態に係る画像形成装置Ｍ１によれば、不定形の原稿についての画像形成を行う際の操作者の手間が軽減され、作業効率が向上される。
【０１７４】
以上本発明者によってなされた発明を実施の形態に基づき具体的に説明したが、本明細書で開示された実施の形態はすべての点で例示であって開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈すべきであり、特許請求の範囲の記載技術と均等な技術および特許請求の範囲内でのすべての変更が含まれる。
【０１７５】
また、プログラムを用いる場合には、ネットワークを介して提供し、或いはＣＤ−ＲＯＭ等の記録媒体に格納して提供することが可能である。
【０１７６】
即ち、画像処理プログラムを含む所定のプログラムを記録媒体としてのハードディスク等の記憶装置に記録する場合に限らず、当該所定のプログラムを次のようにして提供することも可能である。
【０１７７】
例えば、所定のプログラムをＲＯＭに格納しておき、ＣＰＵが、この所定のプログラムをこのＲＯＭから主記憶装置へローディングして実行するようにしてもよい。
【０１７８】
また、上記所定のプログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。
【０１７９】
さらには、画像形成装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記録媒体）が挙げられる。
【産業上の利用可能性】
【０１８０】
本発明による画像形成装置、画像形成システムおよび処理プログラムは、複写機や複合機等に適用することができる。
【符号の説明】
【０１８１】
Ｍ１  画像形成装置
２０  画像形成部
２２  画像形成部本体
２６  制御ユニット
３０  像保持体
３２  帯電装置
３４  潜像形成装置
３６  現像装置
４０  転写装置
４２  クリーニング装置
５０  媒体搬送路
５２  搬送ロール
５４  レジストロール
５６  定着装置
５８  搬送ロール
６０  排出ロール
１００  媒体供給装置
１１０  ロール媒体供給装置
１１２  ロール媒体供給装置本体
１１４  ロール媒体
１１６  ロール媒体搬送路
１１８  ロール
１２０  搬送ロール
１２２  切断装置
１２４  通過搬送路
１２８  搬送ロール
１４０  カット媒体供給装置
１４２  カット媒体供給装置本体
１４４  カット媒体収納部
１４６  ロール
１４８  搬送ロール
１５０  ロール
１５２  搬送ロール
２００  表示操作ユニット
２０２  表示操作ユニット本体
２０４  タッチパネル
４００  原稿読取ユニット
４０２  原稿読取ユニット本体
４０４  原稿搬送路
４０８  原稿搬送部
４１０  搬送ロール
４１２  搬送ロール
４１４  光透過性部材
４１６  光照射装置
４１８  光電変換部材
４２０  案内部材
４２４  原稿画像読取部
５００  制御ユニット
６０１  原稿サイズ取得部
６０２  原稿読取部
６０３  サイズ依存情報格納部
６０４  判定部
６０５  詳細設定部
６０６  画像形成制御部
６０７  定形サイズ置換部
６０９  枠消し設定部
６１０  鏡像設定部
６１１  センタリング設定部
６１２  四隅指定部
６１３  反転設定部
【図１】
2012037730.tif 000003
【図２】
2012037730.tif 000004
【図３】
2012037730.tif 000005
【図４】
2012037730.tif 000006
【図５】
2012037730.tif 000007
【図６】
2012037730.tif 000008
【図７】
2012037730.tif 000009
【図８】
2012037730.tif 000010
【図９】
2012037730.tif 000011
【図１０】
2012037730.tif 000012
【図１１】
2012037730.tif 000013
【図１２】
2012037730.tif 000014